(57)【特許請求の範囲】
【請求項１】
商用電源を任意の電源に変換する電力変換部、前記商用電源に直接的に接続された一方の端子台、および商用電源に前記電力変換部を介して接続された他方の端子台を内設するとともに、浴室内の壁面に配置した筐体と、浴室内に位置する如く前記筐体に取り付け部を介して取付けられ、前記一方の端子台に接続された第１の電気機器と、前記他方の端子台に接続され、浴室内の他の部位に配置された第２の電気機器とを具備し、前記筐体には、浴室の外部と連通し、前記電力変換部に至る電源線を挿通した穴と、この筐体と前記第１の電気機器内とを連通し、前記一方の端子台から第１の電気機器へ配線される電線を挿通する穴とを別部位に形成し、さらに前記第１の電気機器と筐体とは浴室内の雰囲気から防湿した浴室用電源装置。
【請求項２】
筐体は、筐体内の温度が浴室内の雰囲気温度以上となるようなヒータを有する請求項１記載の浴室用電源装置。
【請求項３】
筐体は、第２の電気機器を接続する電線を収容する絶縁体のカバーを備えた請求項１記載の浴室用電源装置。
【発明の詳細な説明】
【０００１】
【発明の属する技術分野】
本発明は、浴室内で使用する機器のための電源装置に関するものである。
【０００２】
【従来の技術】
浴室１内で使用する機器２に対する給電は、従来は図６に示すような構成で行っている。すなわち、商用電源３を入力とする絶縁トランス４を浴室外に置き、浴室１を構成する壁に穴５を開けて、穴５に電線を貫通させて前記絶縁トランス４と機器２とを接続しているものである。このため、機器２に対する給電は大がかりな工事を必要とするものである。
【０００３】
このような課題を解決する一つの方法として、特開平８−２８０５７３号公報に示されている手段がある。図７はこの要旨を示す構成図である。すなわち、浴室内の証明のための蛍光ランプ６と安定器７を備えた浴室用照明装置８の中に電源基板９を内蔵しており、この電源基板９に電線１０を取り付けているものである。この電線１０を使用することによって、浴室内に新たな機器を設けたときに新たに浴室の壁に穴を開けなくても良いものである。
【０００４】
また、我々の先の出願（特願平１０−１０４４８３号明細書）は、浴室で使用する照明機器等の第１の電気機器を浴室用電源装置に取り付ける方法を示しているものである。図８はその構成を示す説明図である。すなわち、浴室の壁１０に絶縁型電源装置１１を収容した防水構造の電源ボックス１２に、前記第１の電気機器を取り付けるための取り付け部１３を設けているものである。つまり、電源ボックス１２に第１の電気機器１４を取り付け、端子１５から第１の電気機器１４に給電し、絶縁型電源装置１１から第２の電気機器１６に給電しているものである。
【０００５】
【発明が解決しようとする課題】
前記従来の構成のものは、電源ボックスが呼吸して、浴室内の湿った空気が電気機器内や電源装置内に侵入するという課題を有している。つまり、第１の電気機器の動作によって電源ボックス内の空気が膨張し、防湿シールの弱い部分から内部の空気が流出し、電源を切ることによって電源ボックス内の空気が収縮して負圧となって浴室内の湿った空気が電気機器内や電源装置内に侵入するものである。
【０００６】
【課題を解決するための手段】
本発明は、商用電源を任意の電源に変換する電力変換部、前記商用電源に直接的に接続された一方の端子台、および商用電源に前記電力変換部を介して接続された他方の端子台を内設するとともに、浴室内の壁面に配置した筐体と、浴室内に位置する如く前記筐体に取り付け部を介して取付けられ、前記一方の端子台に接続された第１の電気機器と、前記他方の端子台に接続され、浴室内の他の部位に配置された第２の電気機器とを具備し、前記筐体には、浴室の外部と連通し、前記電力変換部に至る電源線を挿通した穴と、この筐体と前記第１の電気機器内とを連通し、前記一方の端子台から第１の電気機器へ配線される電線を挿通する穴とを別部位に形成し、さらに前記第１の電気機器と筐体とは浴室内の雰囲気から防湿したものである。
【０００７】
【発明の実施の形態】
本発明は、商用電源を任意の電源に変換する電力変換部、前記商用電源に直接的に接続された一方の端子台、および商用電源に前記電力変換部を介して接続された他方の端子台を内設するとともに、浴室内の壁面に配置した筐体と、浴室内に位置する如く前記筐体に取り付け部を介して取付けられ、前記一方の端子台に接続された第１の電気機器と、前記他方の端子台に接続され、浴室内の他の部位に配置された第２の電気機器とを具備し、前記筐体には、浴室の外部と連通し、前記電力変換部に至る電源線を挿通した穴と、この筐体と前記第１の電気機器内とを連通し、前記一方の端子台から第１の電気機器へ配線される電線を挿通する穴とを別部位に形成し、さらに前記第１の電気機器と筐体とは浴室内の雰囲気から防湿したものである。
【０００８】
筐体にはその内部の温度が浴室内の雰囲気温度以上となるようなヒータを設けるとさらに有効である。
【０００９】
第２の電気機器を接続する電線を収容する絶縁体のカバーを筐体に設けることも考えられる。
【００１０】
【実施例】
（実施例１）
以下本発明の第１の実施例について説明する。図１は本実施例の浴室用電源装置の構成を示す断面図である。筐体２０内には、スイッチング電源等で構成した電力変換部２１と、電力変換部２１に接続している第１の端子台２２と、第２の端子台２３と、第３の端子台２４を収容している。
【００１１】
電力変換部２１は、商用電源２５を任意の電源に変換するもので、本実施例では商用電源２５とは絶縁したＤＣ２４Ｖに変換しているものである。第１の端子台２２は、商用電源２５を接続している。つまり第１の端子台２２は、前記電力変換部２１の駆動電源を供給する機能を有している。
【００１２】
また第２の端子台２２は、同様に商用電源２５を接続されており、図２に示している第１の電気機器４２の駆動電源を供給している。つまり、第１の電気機器４を取り付けるための取り付け部として機能しているものである。第３の端子台２４は前記電力変換部２１の出力端子に接続されており、ＤＣ２４Ｖを出力している。この第３の端子台２４は、図２に示している第２の電気機器４８を接続しており、電源出力部として機能している。
【００１３】
記第１の端子台２２・第２の端子台２３・第３の端子台２４は、本実施例の装置を天井に取り付けた場合には、電線が下を向くように取り付けられている。つまり、電線に結露が生じても端子に水滴が溜まらないようにしているものである。
【００１４】
また筐体２０の中央には、商用電源２５を供給する電源線２６を通すための穴２７を開口している。前記穴２７の周囲には、モールド材２８を充填できるようにスカート部２７ａを設けている。従ってモールド材２８は、前記電力変換部２１の全体と、第１の端子台２２と第２の端子台２３と第３の端子台２４の大部分を覆っている。
【００１５】
また電力変換部２１を構成する半導体２９は、放熱フィン３０によって冷却されている。放熱フィン３０は、筐体２０に密着して取り付けられている。また筐体２０は、上部を蓋３１によって覆われている。蓋３１は、中央に第１の電気機器４３に接続する電線３２を通すための穴３３を開口している。
【００１６】
前記蓋３１は、ゴムパッキン３４を介して筐体２０に対してねじ３５で締め付けられて固定されている。従って筐体２０は、前記電源線２６を透すための穴２７と電線３２を透すための穴３３からの空気の流通以外は、モールド材２８によって防湿されているものである。
【００１７】
図２は、図１で説明した筐体２０を浴室の壁面４０に取り付けている状態を説明する断面図である。本実施例では、取り付け板４１上に筐体２０を取り付け、筐体２０の上部に第１の電気機器４２を化粧カバー４３を介して取り付けている。また、第２の電気機器４４を電線４５を使用して第３の端子台２４に接続している。
【００１８】
取り付け板４１の取付は、木ねじ４６を使用して行っている。このとき、例えば浴室内に取り付けている照明器具用のねじ穴がある場合には、このねじ穴を使うと工事が容易である。浴室用照明器具の取り付けねじのピッチは６６．７ｍｍかまたは８３．５ｍｍが一般的であるが、角度は様々である。図３は前記取り付け板４１の形状を示す正面図である。取り付け板４１は、複数列とした円弧状の長穴５０と爪５１を備えている。
【００１９】
複数列とした円弧状の長穴５０を使用している理由は、前記照明器具用のねじ穴を利用しやすくするためである。こうして取り付け板４１を木ねじ４６で取り付ける。このとき、図２に示しているように、取り付け板４１と壁面４０との間にはスポンジのシール５５を挿入している。また、筐体２０を爪５１に引っかけて取り付け板４１上に取り付けるときにも、スポンジのシール５６を挿入しているものである。従って、筐体２０は浴室内の雰囲気と隔絶されているものである。
【００２０】
また化粧カバー４３は絶縁体で構成しており、放熱フィン３０からの熱を放散できるようスリット６０を設けている。第１の電気機器４２である照明器具は、ねじ６１によって化粧カバー４３と筐体２０とに取り付けている。このとき、第１の電気機器４２と化粧カバー４３との間にはスポンジのシール６２を、化粧カバー４３と筐体２０との間にはスポンジのシール６３を挿入している。従って第１の電気機器４２は、スポンジのシール６２スポンジのシール６３によって、浴室内の雰囲気と隔絶されている。つまり、スポンジのシール５５、５６、６２、６３は、第１の電気機器４２と筐体２０とを浴室内の雰囲気から防湿する防湿手段として機能しているものである。
【００２１】
またスポンジのシール５５、５６、６２、６３は中央部が開口している。従ってスポンジのシール５５、５６、６２、６３は、電源線２６と電線３２を通すと共に、壁面４０の外側すなわち浴室外の空気を、筐体２０内と第１の電気機器４２内に連通させている。
【００２２】
従ってスポンジのシール５５、５６、６２、６３は、浴室外の空気と筐体２０内の空気と第１の電気機器４２内の空気とが連通させる連通手段としても機能しているものである。
【００２３】
また第２の電気機器４４は、本実施例ではＤＣ２４Ｖで動作する曇り止めヒーターを内蔵した鏡としている。第２の電気機器４４を接続する電線４５は、ゴム栓６５で防湿シールして、筐体２０から引き出されている。
【００２４】
本実施例では、電線４５の長さは、第２の電気機器４４の設置位置を自由に変えることが出来るように長めに設定している。つまり、浴室内は高湿となることが多いため、使用者が勝手に配線したりして絶縁不良を起こしたりすることがないように配慮しているものである。このとき余った電線４５は、本実施例では筐体２０と化粧カバー４３の間の空間６６内に収容しているものである。つまり、電線４５が装置外にはみ出ることによって美観を損ねたりすることがないようにしているものである。
【００２５】
なお、前記説明では第１の電気機器４３を照明器具として説明してきたが、浴室暖房機や浴室扇風機としても同様である。
【００２６】
また本実施例によれば、穴２７と穴３３とは、電線を通す機能と空気を透す機能の両方を有しているものであり、本実施例装置の簡単な構造を実現する上で大きく寄与しているものである。
【００２７】
また本実施例によれば、取り付け板４１を浴室の壁面４０または天井に取り付け、筐体２０を取り付け板４１に取り付けた構成として、施工が非常に簡単に出来る浴室用電源装置を実現しているものである。
【００２８】
（実施例２）
続いて本発明の第２の実施例について説明する。図４は本実施例の構成を示す断面図である。本実施例では化粧カバー４３の開口部をパイプ７０としているものである。パイプ７０は、筐体２０内を貫通して壁面４０に届くだけの長さを有している。また、第１の電気機器４２に給電する電線３２は、前記パイプ７０を通し、電力変換装置２１へ給電する電線７１とは、壁面４０外側で接続している。つまり、浴室外で接続している。
【００２９】
以上のようにして、第１の電気機器４２は、筐体２０の内部を貫通して浴室外と連通するようになっている。つまり第１の電気機器４２には、パイプ７０によって浴室外の空気が筐体２０を貫通して供給されるものとなっている。また、第１の電気機器４２の発熱は、パイプ７０を介して直接浴室外に排気されるようになっている。
【００３０】
従って本実施例によれば、第１の電気機器４２の発熱を含んだ排気空気が、電力変換部２１を収容している筐体２０内の空気と混合されないため、筐体２０の温度上昇を低く抑えることが出来るものである。
【００３１】
（実施例３）
次に本発明の第３の実施例について説明する。図５は本実施例の構成を示す断面図である。本実施例では、筐体２０は、下部にヒータ７５と、サーモスタット７６を有している。サーモスタット７６の設定を４０℃程度としておけば、ヒータ７５の発熱によって筐体２０の温度は４０℃程度となるものである。なおこのとき、本実施例で使用している図示していない第２の電気機器４４が曇り止めヒーターを内蔵した鏡であり、低消費電力のものであるため、電力変換装置２１による発熱はほとんどないものである。
【００３２】
従って本実施例の装置を使用した場合には、筐体２０の表面には結露が発生しないものである。すなわち浴室内という高湿状態で使用しても、筐体２内の温度が浴室内の雰囲気温度以上である４０℃程度となっているため、結露が発生しないものである。つまり、入浴中に結露した水滴が頭上から落ちてくるような事態を避けることが出来るものである。
【００３３】
なお前記サーモスタット７６は、必ずしも用いる必要はないものである。
【００３４】
以上説明した各実施例の技術的意義を総括すれば、以下の通りである。
【００３５】
（１）第１の電気機器と、第２の電気機器と、商用電源を任意の電源に変換する電力変換部と、前記第１の電気機器を取り付けるための取り付け部と、前記電力変換部の出力を第２の電気機器へ出力する電源出力部とを有する筐体から成り、前記第１の電気機器と筐体とは浴室内の雰囲気から防湿し、かつ浴室外の空気と筐体内の空気と第１の電気機器内の空気とが連通する構成として、浴室内の湿った空気が第１の電気機器内や筐体内に侵入することを防止できる浴室用電源装置を実現するものである。
【００３６】
（２）第１の電気機器は、筐体内部を貫通して浴室外と連通する構成として、筐体の温度上昇を防止できる浴室用電源装置を実現するものである。
【００３７】
（３）第１の電気機器と筐体とは、電線を通す穴を介して浴室外と連通する構成として、簡単な構造の浴室用電源装置を実現するものである。
【００３８】
（４）筐体は、浴室の壁または天井に取り付けた取り付け板に取り付けた構成として、施工性を向上させた浴室用電源装置を実現するものである。
【００３９】
（５）筐体は、筐体内の温度が浴室内の雰囲気温度以上となるようなヒータを有する構成として、結露を防止できる浴室用電源装置を実現するものである。
【００４０】
（６）筐体は、第２の電気機器を接続する電線を収容する絶縁体のカバーを備えた構成として、余った電線を美観を損ねることなく収容できる浴室用電源装置を実現するものである。
【００４１】
【発明の効果】
以上のように本発明によれば、浴室内の湿った空気が第１の電気機器内や筐体内に侵入することがなく、信頼性の高い浴室用電源装置を実現できるものである。
【図面の簡単な説明】
【図１】  本発明の第１の実施例である浴室用電源装置の構成を示す断面図
【図２】  同、浴室用電源装置を取り付けた状態を説明する断面図
【図３】  同、取り付け板の形状を説明する正面図
【図４】  本発明の第２の実施例である浴室用電源装置の構成を示す断面図
【図５】  本発明の第３の実施例である浴室用電源装置の構成を示す断面図
【図６】  従来の浴室用電源装置の構成を説明する説明図
【図７】  別の従来例である浴室用電源装置の構成を説明する説明図
【図８】  さらに別の従来例である浴室用電源装置の構成を説明する説明図
【符号の説明】
２０  筐体
２１  電力変換部
２２  第１の端子台
２３  第２の端子台
２４  第３の端子台
２５  商用電源
２６  電源線
２７  穴
２７ａ  スカート部
２８  モールド材
２９  半導体
３０  放熱フィン
３１  蓋
３２  電線
３３  穴
３４  ゴムパッキン
３５  ねじ
４０  壁面
４１  取り付け板
４２  第１の電気機器
４３  化粧カバー
４４  第２の電気機器
４５  電線
４６  木ねじ
５０  長穴
５１  爪
５５  スポンジのシール
５６  スポンジのシール
６０  スリット
６１  ねじ
６２  スポンジのシール
６３  スポンジのシール
６５  ゴム栓
６６  空間
７０  パイプ
７１  電線
７５  ヒータ
７６  サーモスタット
【図１】
0003952237.tif 000002
【図２】
0003952237.tif 000003
【図３】
0003952237.tif 000004
【図４】
0003952237.tif 000005
【図５】
0003952237.tif 000006
【図６】
0003952237.tif 000007
【図７】
0003952237.tif 000008
【図８】
0003952237.tif 000009